(57)【要約】【課題】構造物を安定して形成することができる構造物及び構造物の形成方法を提供する。【解決手段】略四角枠形状の外形とリブ部とを有する外形成体１０と、この外形成体１０の内部に第２モルタルを注入して形成される内構造体２０とを備えた構造物Ｃ１を生成する。この場合、外形成体１０は、モルタルを積層させて構成され、壁部を有し、壁部から対向する壁部に向けて内側方向に突出する形状で、壁部の変形を抑制するリブ部を備える。３Ｄプリンターのノズルからモルタルを吐出させながら、壁部と接続する接続位置において、内側方向に向かってノズルを往復移動させて、リブ部を形成する。【選択図】図１
2020026099.tif 000002
【特許請求の範囲】
【請求項１】
造形材を積層させて構成され、壁部を有した構造物において、
前記壁部から所定方向に向かって突出する形状で、前記壁部の変形を抑制する支持補強部を設けたことを特徴とする構造物。
【請求項２】
前記構造物の壁部は、構造物の環状の外形を形成し、
前記壁部と接続する接続位置において、前記壁部に対向する壁部に向けて突出する前記支持補強部を設けたことを特徴とする請求項１に記載の構造物。
【請求項３】
前記支持補強部を、接続する前記壁部と対向する壁部から離して形成することを特徴とする請求項２に記載の構造物。
【請求項４】
壁部を有する構造物の材料となる造形材を吐出させるノズルを移動させて前記造形材を積層することにより、前記構造物を形成する形成方法であって、
前記壁部の変形を抑制する支持補強部を、前記壁部に接続する一筆書きの経路で前記ノズルを移動させて形成することを特徴とする構造物の形成方法。
【請求項５】
前記壁部との接続位置から所定方向に向かって、前記ノズルを往復移動させて、前記支持補強部を形成することを特徴とする請求項４に記載の構造物の形成方法。
【請求項６】
前記接続位置において、前記壁部を形成する経路に対して直交する方向に、前記ノズルを移動させて、前記支持補強部を形成することを特徴とする請求項５に記載の構造物の形成方法。
【発明の詳細な説明】
【技術分野】
【０００１】
本発明は、モルタルによって形成された構造物及び構造物の形成方法に関する。
【背景技術】
【０００２】
立体の構造物を形成する場合、３次元（３Ｄ）プリンターを利用することがある。この３Ｄプリンターは、ノズルから材料を吐出させながらノズルを移動させて層を形成し、形成した層を徐々に積み重ねることにより立体形状を形成する。更に、各層の形状を変更することにより、複雑な立体形状を形成することもできる。
【０００３】
このような３Ｄプリンターによるコンクリート構造物も検討されている（例えば、非特許文献１参照。）。この文献においては、セメント系材料で構成されたインクをノズルから吐出して、このノズルを取り付けたロボットアームを所定の方向に動かして層を形成し、この層を積み重ねて、構造物を形成する。
【先行技術文献】
【非特許文献】
【０００４】
【非特許文献１】大林組、「特殊なセメント系材料を用いた３Ｄプリンターを開発」、［online］、［平成３０年７月９日検索］、インターネット〈URL：http://www.obayashi.co.jp/press/news20171013_1〉
【発明の概要】
【発明が解決しようとする課題】
【０００５】
上述した文献に示したように、３Ｄプリンターで構造物を形成する場合、モルタルを一筆書きで移動させて積層する。この場合、高く積層させた場合に、積層部が傾く等、変形する可能性がある。
【課題を解決するための手段】
【０００６】
上記課題を解決する構造物は、造形材を積層させて構成され、壁部を有した構造物において、前記壁部から所定方向に向かって突出する形状で、前記壁部の変形を抑制する支持補強部を設ける。
【０００７】
上記課題を解決する構造物の形成方法は、壁部を有する構造物の材料となる造形材を吐出させるノズルを移動させて前記造形材を積層することにより、前記構造物を形成する形成方法であって、前記壁部の変形を抑制する支持補強部を、前記壁部に接続する一筆書きの経路で前記ノズルを移動させて形成する。
【発明の効果】
【０００８】
本発明によれば、積層構造物の変形を抑制することができる。
【図面の簡単な説明】
【０００９】
【図１】実施形態における構造物の斜視図。
【図２】実施形態における構造物を説明する説明図であって、（ａ）は奇数層の平面図、（ｂ）は偶数層の平面図、（ｃ）は構造物の正面断面図。
【図３】実施形態における構造物の外形を形成するために用いる３Ｄプリンターの構成を説明する全体の概念図。
【図４】実施形態における経路決定処理の処理手順を説明する流れ図。
【図５】実施形態における構造物の説明図であって、（ａ）は形成予定の形状の平面図、（ｂ）はリブ部を追加した補正形状の平面図、（ｃ）は奇数層における一筆書きの移動経路図、（ｄ）は偶数層における一筆書きの移動経路図。
【図６】実施形態における構造物の形成処理の処理手順を説明する流れ図。
【図７】実施形態における構造物の形成処理を説明する説明図であって、（ａ）は構造物を途中まで形成した断面図、（ｂ）は構造物を最上部まで形成した断面図。
【図８】変更例における構造物の構成に用いる追加する層を説明する説明図。
【図９】変更例における構造物を説明する説明図であって、（ａ）は設計時の平面図、（ｂ）はリブ部を追加した形状の平面図、（ｃ）はリブ部を追加した形状を形成する一筆書きの移動経路図。
【図１０】変更例における上に狭まった円筒形状の外形成体の形成を説明する説明図であって、（ａ）は設計時の斜視図、（ｂ）は設計時の平面図、（ｃ）はリブ部を追加して形状の平面図、（ｄ）はリブ部を追加した一筆書きの移動経路図、（ｅ）は積層した外形成体の斜視図。
【発明を実施するための形態】
【００１０】
以下、図１〜図７を用いて、構造物及び構造物の形成方法を具体化した実施形態を説明する。本実施形態では、平面が長方形断面の構造物を、造形材としての第１モルタルを積層させて構築する。具体的には、第１モルタルを積層させて形成する外形成体と、外形成体の内部に形成される内構造体とを備えた構造物を構築する。
【００１１】
図１に、本実施形態の構造物Ｃ１を示す。この構造物Ｃ１は、概略、直方体形状を有する。なお、図１及び図２（ｃ）では、説明のために、構造物Ｃ１の高さを５層で示す。
構造物Ｃ１は、外形成体１０と内構造体２０とを含んで構成される。外形成体１０は、構造物Ｃ１の外形を構成する。この外形成体１０は、３次元（３Ｄ）プリンターを用いて、積層可能な硬化性を有するセメント系材料（第１モルタル）を積層させて形成される。内構造体２０は、外形成体１０の内部に形成され、外形成体１０よりも高強度の部材で形成される。この内構造体２０の形成には、第２モルタルとして、例えば、スリムクリート（登録商標）等、繊維を混合したセメント系材料（繊維補強コンクリート材料）を用いる。
【００１２】
外形成体１０の外側は、構造物Ｃ１の外形である略四角枠形状を積層して形成される。この外形成体１０の各層は、複数の孔部１０ａを直線状に並べた形状であり、この形状を一筆書きにより形成する。外形成体１０においては、仮に構造物Ｃ１を鉄筋コンクリートにより構築した場合に、鉄筋が配置される領域を含むように各孔部１０ａを設ける。
本実施形態の外形成体１０は、第１レイヤとしての奇数層部１１と、第２レイヤとしての偶数層部１２とを交互に積層して構成する。
【００１３】
図２（ａ）及び図２（ｂ）に、奇数層部１１と偶数層部１２の形状を示す。
図２（ａ）に示すように、奇数層部１１は、第１領域としての外形状部１１ａと、第２領域としてのリブ部１１ｂとを備える。外形状部１１ａは、２点鎖線で示すように、構造物Ｃ１の略四角枠（外形）を構成する。リブ部１１ｂは、２点鎖線で示すように、外形状部１１ａに接続され、構造物Ｃ１の内部に形成される各孔部１０ａを区画する。本実施形態では、外形状部１１ａ及びリブ部１１ｂを、一筆書きの移動経路で構成する。なお、リブ部１１ｂは、往路に接した復路からなる一筆書きで形成される。
【００１４】
図２（ｂ）に示すように、偶数層部１２は、第３領域としての外形状部１２ａと、第４領域としてのリブ部１２ｂとを備える。外形状部１２ａは、奇数層部１１の外形状部１１ａと同様に、構造物Ｃ１の略四角枠（外形）を構成する。リブ部１２ｂは、外形状部１２ａに接続され、奇数層部１１のリブ部１１ｂと同様に、構造物Ｃ１の内部に形成される各孔部１０ａを区画する。
【００１５】
そして、偶数層部１２のリブ部１２ｂは、奇数層部１１のリブ部１１ｂの上方（又は下方）に形成されるとともに、それぞれの外形状部（１１ａ，１２ａ）の長手方向に延在する軸に対して対称の位置に接続される。リブ部１２ｂも、リブ部１１ｂと同様に、往路に接した復路からなる一筆書きで形成される。
【００１６】
図２（ｃ）に示すように、内構造体２０は、複数の鉛直部２１によって構成される。各鉛直部２１は、リブ部（１１ｂ，１２ｂ）、外形状部（１１ａ，１２ａ）に囲まれた孔部１０ａ内に、繊維補強コンクリート材料（第２モルタル）が充填されて形成される。
【００１７】
＜外形成体１０を形成する３Ｄプリンターの構成＞
次に、図３を用いて、外形成体１０を形成する３Ｄプリンター３０の構成について説明する。
【００１８】
本実施形態の３Ｄプリンター３０は、吐出部としてのノズル３１、ロボットアーム３５及び制御装置４０を備える。
ノズル３１は、その先端部（図中の左側端部）が縮径し、その先端が開口した吐出口３１ａを有している。本実施形態では、吐出口３１ａは、下方を向いている。ノズル３１の吐出口３１ａと反対側の端部には、ホース３２の端部が接続されている。ホース３２は、圧送ポンプ（図示せず）に接続されている。この圧送ポンプの圧力により、ホース３２を介してノズル３１に供給された第１モルタルは、吐出口３１ａから下方に吐出される。
【００１９】
ノズル３１には、取付部３４を介して、移動手段としてのロボットアーム３５が取り付けられる。ノズル３１は、このロボットアーム３５に支持され、このロボットアーム３５の動きに従って水平方向や上下方向に移動する。ロボットアーム３５は、制御装置４０の制御部４１からの指示によって移動が制御される。本実施形態の制御部４１は、移動時においてもノズル３１からの第１モルタルの吐出方向が常に下方になるように、ロボットアーム３５を制御する。
【００２０】
制御装置４０は、制御部４１、入力部（図示せず）及び出力部（図示せず）を備えている。入力部は、キーボードやポインティングデバイス等を備え、形成する構造物に関する情報を制御部４１に供給する。出力部は、ディスプレイ等を備え、入力された情報や形成する構造物の経路等を表示する。
【００２１】
制御部４１は、制御手段（ＣＰＵ、ＲＡＭ、ＲＯＭ等）を備え、構造物形成処理を行なう。そのため、記憶部に格納された構造物形成プログラムを実行することにより、制御部４１は、積層管理部４１１、移動制御部４１２及び吐出量制御部４１３として機能する。
【００２２】
積層管理部４１１は、構造物を形成するために、積層させるモルタルの経路及び高さを管理する処理を実行する。積層管理部４１１は、１層の高さ、構造物高さ（設計上の構造物Ｃ１の高さ）、基準高さ及び孔部毎の接続面高さを記憶している。基準高さは、３Ｄプリンター３０による積層を中断する高さである。接続面高さは、孔部１０ａに第２モルタルを同時期に注入する高さであり、奇数層部１１又は偶数層部１２の一階層の途中の高さ位置を用いる。更に、積層管理部４１１は、積層した層数をカウントする。
移動制御部４１２は、経路に応じてノズル３１を移動させるロボットアーム３５の動きを制御する処理を実行する。
吐出量制御部４１３は、ノズル３１から吐出するモルタルを圧送するポンプを制御する処理を実行する。
【００２３】
＜外形成体１０の形状及び経路の決定＞
次に、図３〜図５を用いて、上述した構造物Ｃ１の外形成体１０の形状及びこれを形成するためのノズルの移動経路（ルート）の決定処理について説明する。
【００２４】
図３に示すように、コンピュータ端末５０が経路決定処理を実行する。まず、コンピュータ端末５０の構成について説明する。
コンピュータ端末５０は、制御装置４０に接続されており、制御部５１、入力部（図示せず）及び表示部（図示せず）を備える。
【００２５】
制御部５１は、制御手段（ＣＰＵ、ＲＡＭ、ＲＯＭ等）を備え、経路決定処理を行なう。そのため、記憶部に格納された経路決定プログラムを実行することにより、制御部５１は、経路作成部５１１、形状確認部５１２及び経路補正部５１３として機能する。
【００２６】
経路作成部５１１は、積層する形状をノズル３１で形成するための一筆書き経路を作成する。
形状確認部５１２は、積層した形状を形成した場合に、重力やノズル３１の動きによる変形の有無を確認する。本実施形態では、形状確認部５１２は、生成した一筆書き経路で積層物を構築した場合の物理シミュレーションを行なうことにより、変形位置を特定する。
【００２７】
経路補正部５１３は、作成した一筆書き経路に、変形を抑制する構造（支持補強部）を追加した補正経路を生成する。ここでは、変形を抑制する構造として、水平方向に所定長さを有するリブ部を追加する。このため、経路補正部５１３は、追加するリブ部の長さに関するデータを記憶する。
【００２８】
次に、図４に示す経路決定処理について説明する。
本実施形態では、図５（ａ）に示すように、構造物Ｃ１の内部に第２モルタルを注入するために、外形を形成する外形成体１０を、四角枠形状で形成する。
【００２９】
まず、コンピュータ端末５０の制御部５１は、設計された外枠形状の取得処理を実行する（ステップＳ１−１）。具体的には、制御部５１の経路作成部５１１は、入力部を介して、設計された外枠形状を取得する。例えば、図５（ａ）に示す構造物Ｃ１の四角枠形状を取得する。そして、経路作成部５１１は、四角枠形状を形成する一筆書き経路を作成する。
【００３０】
次に、コンピュータ端末５０の制御部５１は、リブ部の追加が必要か否かの判定処理を実行する（ステップＳ１−２）。具体的には、制御部５１の形状確認部５１２は、経路作成部５１１が作成した一筆書き経路で、ノズル３１を移動させてモルタルを積層した形状において、物理シミュレーションにより形状変化を予測する。ここでは、重力及びノズル３１の動きにより、積層部の傾きを予測する。そして、傾きが所定角度よりも大きく、位置ずれが大きい場合、形状確認部５１２は、リブ部の追加が必要と判定する。
【００３１】
ここで、リブ部の追加が必要と判定した場合（ステップＳ１−２において「ＹＥＳ」の場合）には、コンピュータ端末５０の制御部５１は、追加するリブ部の位置の特定処理を実行する（ステップＳ１−３）。具体的には、制御部５１の経路補正部５１３は、積層部の変形位置に、リブ部を追加する。この場合、経路補正部５１３は、外形状部１５に対して、変形位置で構造物内部側に、所定の角度（例えば９０度）方向で突出するように、リブ部を設ける。ここで、リブ部の長さが、対向する積層部までの距離よりも長い場合には、リブ部はその対向する積層部までとする。
【００３２】
例えば、図５（ｂ）に示すように、外形成体１０の外形状部１５の長辺の壁部１５ａが長く、ノズル３１の移動に応じて、積層物が傾くと判定した場合、経路補正部５１３は、両壁部１５ａを接続する複数のリブ部１６を形成する。この場合、経路補正部５１３は、長辺の壁部１５ａに直交し、かつ構造物Ｃ１の内側（対向する壁部）に向かって突出するように、リブ部１６を形成し、対応する壁部１５ａに接続させる。
【００３３】
次に、コンピュータ端末５０の制御部５１は、リブ部を追加した経路の生成処理を実行する（ステップＳ１−４）。具体的には、制御部５１の経路補正部５１３は、外枠形状を形成する一筆書き経路に、リブ部を形成する経路を追加した新たな経路を生成する。ここで、リブ部１６は、接続位置から往復移動させる経路で形成する。
【００３４】
なお、経路補正部５１３が、複数の移動経路候補を算出するようにしてもよい。この場合には、経路補正部５１３が、算出した移動経路候補を、表示部に表示させて、ユーザに選択させてもよい。
【００３５】
例えば、図５（ｃ）に示すように、奇数層部１１を形成する移動経路においては、外形状部１５の長辺の途中（壁部１５ａの形成途中）で、対向する長辺に先端が接するように一往復させてリブ部１１ｂを形成する。
【００３６】
図５（ｄ）に示すように、偶数層部１２を形成する移動経路においては、奇数層部１１とは異なる長辺においてリブ部１２ｂを形成する。
そして、奇数層部１１及び偶数層部１２の移動経路を交互に接続させた経路を、一筆書き経路として決定する。
【００３７】
一方、リブ部の追加は不要と判定した場合（ステップＳ１−２において「ＮＯ」の場合）には、コンピュータ端末５０の制御部５１は、当初の一筆書き経路の決定処理を実行する（ステップＳ１−５）。具体的には、制御部５１の経路補正部５１３は、取得した外枠形状を形成する当初の一筆書きの経路を、ノズル３１の移動経路として用いる。
以上のように、ステップＳ１−４又はＳ１−５でノズル３１の経路と特定した一筆書き経路を積層管理部４１１に記憶させる。
【００３８】
＜構造物の形成方法＞
次に、図６を用いて、構造物Ｃ１の形成方法について説明する。ここでは、所定の高さ（基準高さ）までの連続的な形成を繰り返しながら、構造物Ｃ１を構築する。具体的には、奇数層部１１及び偶数層部１２を積層させて、基準高さまで到達した場合、３Ｄプリンターによる形成を中断する。そして、所定の中断期間の経過後に、再び基準高さ分の形成を繰り返す。この中断期間において、所定の高さ（接続面高さ）分の第２モルタルを注入して、鉛直部２１を形成する。本実施形態では、外形成体１０の基準高さより低く、かつ隣接する孔部１０ａにおいては異なる接続面高さで、第２モルタルを注入することにより、目地の高さを不揃いにする。
【００３９】
まず、３Ｄプリンター３０は、積層形成処理を実行する（ステップＳ２−１）。具体的には、制御装置４０の制御部４１は、ノズル３１から第１モルタルを吐出させながら、移動経路に沿ってロボットアーム３５を移動させることにより、奇数層部１１を形成し（第１工程）、この奇数層部１１上に偶数層部１２を形成する（第２工程）。そして、第１工程及び第２工程を交互に繰り返して、第１モルタルを積層する。
【００４０】
次に、３Ｄプリンター３０は、構造物高さまで到達したか否かの判定処理を実行する（ステップＳ２−２）。具体的には、制御装置４０の制御部４１は、連続して形成した積層高さ（積層した層数×１層の高さ）と、構造物Ｃ１の構造物高さとを、定期的に（例えば１層分、積層する毎に）比較する。
【００４１】
構造物高さに到達していないと判定した場合（ステップＳ２−２において「ＮＯ」の場合）、３Ｄプリンター３０は、基準高さまで到達したか否かの判定処理を実行する（ステップＳ２−３）。具体的には、制御装置４０の制御部４１は、積層開始（又は直近の積層中断後の積層再開）からの高さと基準高さとを比較する。
【００４２】
基準高さまで到達していないと判定した場合（ステップＳ２−３において「ＮＯ」の場合）、３Ｄプリンター３０は、積層形成処理（ステップＳ２−１）を繰り返す。この場合には、制御装置４０の制御部４１は、次の奇数層部１１又は偶数層部１２を形成する。
【００４３】
一方、基準高さまで到達したと判定した場合（ステップＳ２−３において「ＹＥＳ」の場合）、３Ｄプリンター３０は、積層形成処理（ステップＳ２−１）を中断する。
そして、孔部１０ａ毎に予め定められた接続面高さまで、第２モルタルを注入する注入工程を実行する（ステップＳ２−４）。
【００４４】
この場合、図７（ａ）に示すように、隣接する孔部１０ａ毎に、異なる接続面高さまで第２モルタルを注入することにより、部分（２１ａ１，２１ａ２，２１ａ３）を形成する。なお、孔部１０ａにおいて、既に注入された第２モルタルがある場合には、この第２モルタルの上に、接続面高さまで、新たな第２モルタルを注入する。
【００４５】
そして、各孔部１０ａにおいて接続面高さまでの第２モルタルの注入を完了した場合、再び、３Ｄプリンター３０を用いて積層形成処理を実行する（ステップＳ２−１）。この場合、外形成体１０となる先行して積層した第１モルタルの上に、奇数層部１１又は偶数層部１２を積層する。
【００４６】
一方、構造物高さまで到達した場合（ステップＳ２−２において「ＹＥＳ」の場合）、３Ｄプリンター３０は、積層形成処理（ステップＳ２−１）を終了する。
そして、孔毎に、構造物高さまで第２モルタルを注入する（ステップＳ２−５）。具体的には、各孔部１０ａに、構造物Ｃ１の外形成体１０の最上面まで第２モルタルを注入する。
【００４７】
この場合には、図７（ｂ）に示すように、各孔部１０ａに、構造物高さまで第２モルタルを注入することにより、部分（２１ｂ１，２１ｂ２，２１ｂ３）を形成する。これら部分（２１ｂ１，２１ｂ２，２１ｂ３）は、直下の部分（２１ａ１，２１ａ２，２１ａ３）と接続面において接続して一体化する。
【００４８】
本実施形態によれば、以下のような効果を得ることができる。
（１）本実施形態では、孔部１０ａを有し構造物Ｃ１の外形を構成する外形成体１０と、孔部１０ａに注入して形成される内構造体２０とを備えた構造物Ｃ１を形成する。内構造体２０を、高強度材料で構成することにより、強度が高い構造物Ｃ１を構築することができる。また、第２モルタルは、孔部１０ａのみに使用するので、使用量を低減することができる。
【００４９】
（２）本実施形態では、３Ｄプリンター３０のノズル３１を一筆書きの移動経路で動かして各層（１１，１２）を形成し、これを繰り返して積層させることにより、外形成体１０を形成する。これにより、効率的に外形成体１０を形成することができる。
【００５０】
（３）本実施形態では、外形成体１０は、奇数層部１１と偶数層部１２とを交互に積層して構成される。奇数層部１１と偶数層部１２とでは、外形状部１１ａ，１２ａに対して、リブ部１１ｂ，１２ｂの接続位置が異なる。これにより、目地の発生を抑制することができる。
【００５１】
（４）本実施形態では、外形成体１０は、複数の孔部１０ａを区画するためのリブ部１１ｂ，１２ｂを有する。これにより、リブ部１１ｂ，１２ｂが、外形状部１１ａ，１２ａの長手方向の部材（外形状部１５の長辺の壁部１５ａ）を連結して補強するため、外形状部１１ａ，１２ａを高く形成しても安定して積層することができる。
【００５２】
（５）本実施形態では、３Ｄプリンター３０により、外形成体１０を基準高さまで到達した場合（ステップＳ２−３において「ＹＥＳ」の場合）、各孔部１０ａへの第２モルタルを注入する処理（ステップＳ２−４）を繰り返して、構造物Ｃ１を形成する。これにより、第１モルタル及び第２モルタルの硬化状態と作業効率とを考慮して、構造物Ｃ１を形成することができる。
【００５３】
（６）本実施形態では、外形成体１０に形成された孔部１０ａに注入する第２モルタルは、外形成体１０の基準高さより低い接続面高さまで注入する。これにより、外形成体１０と内構造体２０との目地の高さを不揃いに配置できる。
【００５４】
（７）本実施形態では、外形成体１０に形成された複数の孔部１０ａのうち、隣接する孔部１０ａにおいて、異なる接続面高さで第２モルタルを注入する。これにより、鉛直部２１の目地の高さを不揃いに配置できる。
【００５５】
（８）本実施形態では、外形成体１０を、積層可能な硬化性を有するセメント系材料で構成し、内構造体２０を、繊維を混合したセメント系材料で構成する。これにより、外形成体１０を積層により形成し、その内部に高強度の内構造体２０を形成することができる。
【００５６】
（９）本実施形態では、コンピュータ端末５０の制御部５１は、リブ部の追加が必要と判定した場合（ステップＳ１−２において「ＹＥＳ」の場合）には、追加するリブ部の位置の特定処理を実行する（ステップＳ１−３）。これにより、変形する箇所を支持するようにリブ部１６を配置して、安定して積層することができる。
【００５７】
（１０）本実施形態では、制御部５１は、リブ部を追加した経路の生成処理（ステップＳ１−４）において、追加したリブ部１６を、接続位置から往復移動させる経路で形成する。これにより、リブ部を形成する経路を、効率的に決定することができる。
【００５８】
（１１）本実施形態では、制御部５１は、リブ部１６を、長辺の壁部１５ａから直角方向に、内側（対向する壁部）に向かって突出するように形成する。これにより、壁部１５ａを支持することができ、モルタルを安定して積層することができる。
【００５９】
本実施形態は、以下のように変更して実施することができる。本実施形態及び以下の変更例は、技術的に矛盾しない範囲で互いに組み合わせて実施することができる。
・上記各実施形態では、構造物Ｃ１の外形成体１０は、長手方向の向きを変更した奇数層部１１と偶数層部１２とを交互に積層することにより構成した。構造物の積層は、２つの層を交互に積層する場合に限られず、１つの層を積層してもよいし、３つ以上の層を交互に積層してもよい。更に、異なる形状の層部をランダムに積層してもよい。例えば、図８に示すように、各長辺部１３ａを形成する際に一部のリブ部１３ｂを往復して形成する経路に沿って形成される層部１３を含めて積層してもよい。
【００６０】
・上記実施形態では、リブ部１６は、接続する外形成体１０の長辺の壁部１５ａに対して直角に突出した形状で設けた。リブ部１６の形状は、これに限定されない。例えば、壁部１５ａに対して、突出していれば、壁部１５ａを支持することができるので、リブ部の接続位置を始点として一筆書きで形成され、一筆書きの終点が接続位置となる形状であればよい。突出方向も直角に限定されるものではない。また、その形状も、一筆書きできるものであればよく、例えば、円形状であってもよい。
【００６１】
・上記実施形態では、外形成体１０は、外形の長辺の両壁部１５ａに接続するリブ部１６を有する。リブ部は、その先端が、外形成体１０の他の部分に接続しない形状でもよい。例えば、図９（ａ）に示すように、四角枠の外形状部７１を有する外形成体７０に、複数のリブ部７２を設ける場合、図９（ｂ）に示すように、対向する壁部と離して設けてもよい。この場合、リブ部７２を、直線状の壁部７１ａに対して直角となるように形成する。更に、複数のリブ部７２を、対向する位置や対称となる位置に配置する。これにより、外形状部７１を効率的に支持することができる。
【００６２】
この場合、リブ部７２は、モルタルの吐出開始位置７３から吐出状態が安定するまでの距離（第１距離）を離した位置に設ける。更に、積層物の形状に変曲点（例えば、外枠形状の角７４）がある場合にも、吐出状態が安定する距離（第２距離）を離した位置に設ける。これにより、図９（ｃ）に示すように、ノズルから吐出したモルタルによりリブ部７６及び外形状部７５を形成した場合、モルタルの盛り上がりを抑制して、モルタルを安定して積層することができる。
【００６３】
・上記実施形態では、外形成体１０を、構造物Ｃ１の外形となる略四角枠形状で形成した。外形成体の形状は、構造体の外形を備えた形状であれば、略四角枠形状に限定されない。例えば、円筒や多角柱等の構造体の外形を形成する外形成体であってもよい。
【００６４】
また、多角錐のように、上方になるに従って狭くなる構造物を形成してもよい。
例えば、図１０（ａ）に示す円錐台の枠形状を有する外形成体８０を形成してもよい。この外形成体８０の平面図は、図１０（ｂ）に示すように円形状になる。
【００６５】
ここで、図１０（ｃ）に示すように、外形成体８０の円の外形状部８１の内側に追加するリブ部８２を、外形成体８０の接続位置において直角に設ける。更に、このリブ部８２を、モルタルの吐出開始位置８３とから第１距離だけ離した位置に設ける。
【００６６】
そして、図１０（ｄ）に示す一筆書き経路を決定する。
図１０（ｅ）に示すように、ノズル３１を移動させながらモルタルを吐出させて、リブ部８６を外形状部８５に設けた円錐台の枠形状を形成する。
【００６７】
・上記実施形態では、コンピュータ端末５０の制御部５１は、積層部の変形位置に、リブ部を追加する。リブ部を追加する位置は、変形する方向に限られない。例えば、倒れる方向と反対側の方向の位置等、変形を抑制する位置であればよい。
【００６８】
・上記実施形態では、コンピュータ端末５０の制御部５１は、追加するリブ部の長さを予め記憶している。リブ部の長さは、リブ部を接続する壁部１５ａの形状（幅や構造物高さ）に応じて変更してもよい。この場合、制御部５１には、壁部の形状（幅や構造物高さ）を変数としてリブ部の水平方向の長さを算出するリブ長算出式を保持させておく。そして、物理シミュレーションを行ない、リブ部が必要と判定した場合に、リブ長算出式を用いて、リブ部の長さ（形状）を決定する。
【符号の説明】
【００６９】
Ｃ１…構造物、Ｈ１…基準高さ、１０，７０，８０…外形成体、１０ａ…孔部、１１…奇数層部、１１ａ，１２ａ，１５，７１，７５，８１，８５…外形状部、１１ｂ，１２ｂ，１３ｂ，１６，７２，７６，８２，８６…リブ部、１２…偶数層部、１３…層部、１３ａ…長辺部、１５ａ，７１ａ…壁部、２０…内構造体、２１…鉛直部、３０…３Ｄプリンター、３１…ノズル、３１ａ…吐出口、３２…ホース、３４…取付部、３５…ロボットアーム、４０…制御装置、４１，５１…制御部、４１１…積層管理部、４１２…移動制御部、４１３…吐出量制御部、５０…コンピュータ端末、７３，８３…吐出開始位置、７４…角、５１１…経路作成部、５１２…形状確認部、５１３…経路補正部。
【図１】
2020026099.tif 000003
【図２】
2020026099.tif 000004
【図３】
2020026099.tif 000005
【図４】
2020026099.tif 000006
【図５】
2020026099.tif 000007
【図６】
2020026099.tif 000008
【図７】
2020026099.tif 000009
【図８】
2020026099.tif 000010
【図９】
2020026099.tif 000011
【図１０】
2020026099.tif 000012